(57)【特許請求の範囲】
【請求項１】
ユーザ機器（ＵＥ）（３０）を構成するための基地局（１０）であって、前記基地局は、プロセッサ（１４）を備え、前記プロセッサは、
無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジと共に前記ＵＥを構成することと、
前記ＵＥへのトランスポートブロック送信のために、構成された前記ＬＣ−ＰＤＣＣＨ反復レベルレンジからＬＣ−ＰＤＣＣＨ反復レベルを選択することと、
を前記基地局に行わせるように構成され、
前記プロセッサは、
前記ＬＣ−ＰＤＣＣＨ反復レベルが第１の回数の反復を含む第１ピリオドと第２の回数の反復を含む第２ピリオドとを包含するように、前記ＬＣ−ＰＤＣＣＨ反復レベルを選択すること、
を前記基地局に行わせるようにさらに構成され、前記第２ピリオド内の前記反復は、前記第１ピリオド内よりも密に配置される、基地局。
【請求項２】
前記複数のＬＣ−ＰＤＣＣＨ反復レベルレンジのセット内の隣り合うＬＣ−ＰＤＣＣＨ反復レベルレンジは、部分的に重複する、請求項１に記載の基地局。
【請求項３】
前記プロセッサは、
前記ＬＣ−ＰＤＣＣＨのサブフレーム内の６つの物理リソースブロック（ＰＲＢ）のグループの範囲内で、ＰＲＢの２つ、４つ又は６つのペア上で動作するように前記ＵＥへ命令することにより、前記ＵＥを周波数ドメインにおいて構成すること、
を前記基地局に行わせるようにさらに構成される、請求項１又は請求項２に記載の基地局。
【請求項４】
前記グループの範囲内の前記ＰＲＢの位置は、前記構成において高々２ビットで指し示される、請求項３に記載の基地局。
【請求項５】
前記基地局は、前記ＬＣ−ＰＤＣＣＨ反復レベルレンジを構成し、及び、別個に独立して行うか又は結合的に行うかのいずれかで前記ＵＥを周波数ドメインにおいて構成する、請求項３に記載の基地局。
【請求項６】
構成を取得するためのユーザ機器（ＵＥ）（３０）であって、前記ＵＥは、プロセッサ（３４）を備え、前記プロセッサは、
基地局（１０）からの無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジについての構成情報を受信することと、
構成される前記ＬＣ−ＰＤＣＣＨ反復レベルレンジ内の少なくとも１つの値に従って、前記ＬＣ−ＰＤＣＣＨの復号を試行することと、
を前記ＵＥに行わせるように構成され、
前記ＬＣ−ＰＤＣＣＨ反復レベルは、第１の回数の反復を含む第１ピリオドと第２の回数の反復を含む第２ピリオドとを包含し、前記第２ピリオド内の前記反復は、前記第１ピリオド内よりも密に配置される、ＵＥ。
【請求項７】
前記プロセッサは、
前記復号の試行が失敗し、構成される前記ＬＣ−ＰＤＣＣＨ反復レベルレンジ内に少なくとも１つのより高い値が存在する場合に、
前記ＬＣ−ＰＤＣＣＨ反復レベルレンジ内の前記少なくとも１つのより高い値のうちの少なくとも１つに従って、前記ＬＣ−ＰＤＣＣＨの復号を試行すること、
を前記ＵＥに行わせるようにさらに構成される、請求項６に記載のＵＥ。
【請求項８】
前記プロセッサは、
前記ＬＣ−ＰＤＣＣＨ反復レベルレンジの前記少なくとも１つの値を指し示す標識を受信すること、
を前記ＵＥに行わせるようにさらに構成される、請求項６又は請求項７に記載のＵＥ。
【請求項９】
前記複数のＬＣ−ＰＤＣＣＨ反復レベルレンジのセット内の隣り合うＬＣ−ＰＤＣＣＨ反復レベルは、部分的に重複する、請求項６に記載のＵＥ。
【請求項１０】
前記プロセッサは、
前記ＬＣ−ＰＤＣＣＨのサブフレーム内の６つの物理リソースブロック（ＰＲＢ）のグループの範囲内でＰＲＢの２つ、４つ又は６つのペア上で動作するように前記ＵＥへ命令することにより前記ＵＥを周波数ドメインにおいて構成するための、前記基地局からの命令を受信することと、
前記命令に従って、前記ＬＣ−ＰＤＣＣＨのサブフレーム内の６つのＰＲＢの前記グループの範囲内のＰＲＢの２つ、４つ又は６つのペアの復号を試行することと、
を前記ＵＥに行わせるようにさらに構成される、請求項６〜９のいずれかに記載のＵＥ。
【請求項１１】
前記グループの範囲内の前記ＰＲＢの位置は、前記命令において高々２ビットで指し示される、請求項１０に記載のＵＥ。
【請求項１２】
ユーザ機器（ＵＥ）（３０）を構成するためのシステムであって、前記システムは、前記ＵＥ及び基地局（１０）を含み、
前記基地局は、無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジと共に前記ＵＥを構成する、ように構成され、
前記基地局は、前記ＵＥへのトランスポートブロック送信のために、構成された前記ＬＣ−ＰＤＣＣＨ反復レベルレンジからＬＣ−ＰＤＣＣＨ反復レベルを選択する、ように構成され、
前記ＵＥは、前記基地局からの構成情報として、ＲＲＣシグナリングを用いて、前記ＬＣ−ＰＤＣＣＨ反復レベルレンジを受信する、ように構成され、
前記ＵＥは、構成される前記ＬＣ−ＰＤＣＣＨ反復レベルレンジ内の少なくとも１つの値に従って、前記ＬＣ−ＰＤＣＣＨの復号を試行する、ように構成され、
前記ＬＣ−ＰＤＣＣＨ反復レベルは、第１の回数の反復を含む第１ピリオドと第２の回数の反復を含む第２ピリオドとを包含し、前記第２ピリオド内の前記反復は、前記第１ピリオド内よりも密に配置される、
システム。
【請求項１３】
ユーザ機器（ＵＥ）（３０）を構成するための基地局（１０）であって、
無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジと共に前記ＵＥを構成する、ように構成される構成モジュールと、
前記ＵＥへのトランスポートブロック送信のために、構成された前記ＬＣ−ＰＤＣＣＨ反復レベルレンジからＬＣ−ＰＤＣＣＨ反復レベルを選択する、ように構成される選択モジュールと、を備え、
前記選択モジュールはさらに、前記ＬＣ−ＰＤＣＣＨ反復レベルが第１の回数の反復を含む第１ピリオドと第２の回数の反復を含む第２ピリオドとを包含するように、前記ＬＣ−ＰＤＣＣＨ反復レベルを選択するように構成され、
前記第２ピリオド内の前記反復は、前記第１ピリオド内よりも密に配置される基地局。
【請求項１４】
構成を取得するためのユーザ機器（ＵＥ）（３０）であって、
基地局（１０）からの無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジについての構成情報を受信する、ように構成される受信モジュールと、
構成される前記ＬＣ−ＰＤＣＣＨ反復レベルレンジ内の少なくとも１つの値に従って、前記ＬＣ−ＰＤＣＣＨの復号を試行する、ように構成される復号モジュールと、
を備え、
前記ＬＣ−ＰＤＣＣＨ反復レベルは、第１の回数の反復を含む第１ピリオドと第２の回数の反復を含む第２ピリオドとを包含し、前記第２ピリオド内の前記反復は、前記第１ピリオド内よりも密に配置されるＵＥ。
【請求項１５】
ユーザ機器（ＵＥ）（３０）を構成するための、基地局（１０）により実行される方法であって、
無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジと共に前記ＵＥを構成すること（Ｓ１０２）と、
前記ＵＥへのトランスポートブロック送信のために、構成された前記ＬＣ−ＰＤＣＣＨ反復レベルレンジからＬＣ−ＰＤＣＣＨ反復レベルを選択すること（Ｓ１０６）と、
前記ＬＣ−ＰＤＣＣＨ反復レベルが第１の回数の反復を含む第１ピリオドと第２の回数の反復を含む第２ピリオドとを包含するように、前記ＬＣ−ＰＤＣＣＨ反復レベルを選択すること（Ｓ１１０）と、を含み、
前記第２ピリオド内の前記反復は、前記第１ピリオド内よりも密に配置される、方法。
【請求項１６】
前記ＬＣ−ＰＤＣＣＨのサブフレーム内の６つの物理リソースブロック（ＰＲＢ）のグループの範囲内で、ＰＲＢの２つ、４つ又は６つのペア上で動作するように前記ＵＥへ命令することにより、前記ＵＥを周波数ドメインにおいて構成すること（Ｓ１１２）、
をさらに含む、請求項１５に記載の方法。
【請求項１７】
ユーザ機器（ＵＥ）（３０）の構成を取得するための、前記ＵＥにより実行される方法であって、
基地局（１０）からの無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジについての構成情報を受信すること（Ｓ２０２）と、
構成される前記ＬＣ−ＰＤＣＣＨ反復レベルレンジ内の少なくとも１つの値に従って、前記ＬＣ−ＰＤＣＣＨの復号を試行すること（Ｓ２０８）と、
を含み、
前記ＬＣ−ＰＤＣＣＨ反復レベルは、第１の回数の反復を含む第１ピリオドと第２の回数の反復を含む第２ピリオドとを包含し、前記第２ピリオド内の前記反復は、前記第１ピリオド内よりも密に配置される方法。
【請求項１８】
前記復号の試行が失敗し、構成される前記ＬＣ−ＰＤＣＣＨ反復レベルレンジ内に少なくとも１つのより高い値が存在する場合に、
前記ＬＣ−ＰＤＣＣＨ反復レベルレンジ内の前記少なくとも１つのより高い値のうちの少なくとも１つに従って、前記ＬＣ−ＰＤＣＣＨの復号を試行すること（Ｓ２１０）、
をさらに含む、請求項１７に記載の方法。
【請求項１９】
前記ＬＣ−ＰＤＣＣＨ反復レベルレンジの前記少なくとも１つの値を指し示す標識を受信すること（Ｓ２０４）、
をさらに含む、請求項１７又は請求項１８に記載の方法。
【請求項２０】
前記ＬＣ−ＰＤＣＣＨのサブフレーム内の６つの物理リソースブロック（ＰＲＢ）のグループの範囲内でＰＲＢの２つ、４つ又は６つのペア上で動作するように前記ＵＥへ命令することにより前記ＵＥを周波数ドメインにおいて構成するための、前記基地局からの命令を受信すること（Ｓ２０６）と、
前記命令に従って、前記ＬＣ−ＰＤＣＣＨのサブフレーム内の６つのＰＲＢの前記グループの範囲内のＰＲＢの２つ、４つ又は６つのペアの復号を試行すること（ｓ２１０）と、
をさらに含む、請求項１７〜１９のいずれかに記載の方法。
【請求項２１】
ユーザ機器（ＵＥ）（３０）を構成するためのコンピュータプログラム（２２）であって、前記コンピュータプログラムは、基地局（１０）のプロセッサ（１４）上で実行された場合に、前記基地局に、
無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジと共に前記ＵＥを構成することと、
前記ＵＥへのトランスポートブロック送信のために、構成された前記ＬＣ−ＰＤＣＣＨ反復レベルレンジからＬＣ−ＰＤＣＣＨ反復レベルを選択することと、
前記ＬＣ−ＰＤＣＣＨ反復レベルが第１の回数の反復を含む第１ピリオドと第２の回数の反復を含む第２ピリオドとを包含するように、前記ＬＣ−ＰＤＣＣＨ反復レベルを選択することと、
を行わせるコンピュータコード、を含み、
前記第２ピリオド内の前記反復は、前記第１ピリオド内よりも密に配置されるコンピュータプログラム。
【請求項２２】
ユーザ機器（ＵＥ）（３０）の構成を取得するためのコンピュータプログラム（４２）であって、前記コンピュータプログラムは、前記ＵＥのプロセッサ（３４）上で実行された場合に、前記ＵＥに、
基地局（１０）からの無線リソース制御（ＲＲＣ）シグナリングを用いて、複数の低複雑度物理ダウンリンク制御チャネル（ＬＣ−ＰＤＣＣＨ）反復レベルレンジの順序付きセットから選択されるＬＣ−ＰＤＣＣＨ反復レベルレンジについての構成情報を受信することと、
構成される前記ＬＣ−ＰＤＣＣＨ反復レベルレンジ内の少なくとも１つの値に従って、前記ＬＣ−ＰＤＣＣＨの復号を試行することと、
を行わせるコンピュータコード、を含み、
前記ＬＣ−ＰＤＣＣＨ反復レベルは、第１の回数の反復を含む第１ピリオドと第２の回数の反復を含む第２ピリオドとを包含し、前記第２ピリオド内の前記反復は、前記第１ピリオド内よりも密に配置されるコンピュータプログラム。
【発明の詳細な説明】
【技術分野】
【０００１】
ここで呈示される実施形態は、ユーザ機器の構成のための方法、基地局、ユーザ機器、コンピュータプログラム及びコンピュータプログラムプロダクトに関する。本発明概念は、概して、ワイヤレス通信に関し、より具体的には、マシンタイプ通信のためのダウンリンク構成に関する。
【背景技術】
【０００２】
ＬＴＥは、ダウンリンクにおいてＯＦＤＭを、アップリンクにおいてＤＦＴ拡散ＯＦＤＭ（あるいはＳＣ−ＦＤＭＡ）を使用する。基本的なＬＴＥのダウンリンク物理リソースを、よって、図１に示したような時間−周波数グリッドとして見ることができ、各リソースエレメントは、１つのＯＦＤＭシンボルインターバルの期間中の１本のＯＦＤＭサブキャリアに相当する。
【０００３】
＜ＭＴＣ＞
マシンタイプ通信（ＭＴＣ）は、事業者のための重要な収益源であり、事業者の視点からすると莫大なポテンシャルを有する。事業者にとっては、既に配備済みの無線アクセス技術を用いてＭＴＣ  ＵＥにサービスできることが効率的である。従って、３ＧＰＰ  ＬＴＥは、ＭＴＣの効率的なサポートのための競争力のある無線アクセス技術として検討されてきた。ＭＴＣ  ＵＥのコストを引き下げることは、“ＩｏＴ（internet  of  things）”の概念の実装のための重要な要因（enabler）になり得る。多くのＭＴＣアプリケーションは、運用上のＵＥ電力消費が低いことを要することになり、低頻度で小規模なバースト送信で通信を行うことが予期される。加えて、建物内の奥深くに配備されるデバイスのＭ２Ｍユースケースについて実質的なマーケットが存在し、それは定義済みのＬＴＥセルカバレッジの面積（footprint）と比較してカバレッジの向上を要するはずである。
【０００４】
３ＧＰＰ  ＬＴＥリリース１２は、長いバッテリー寿命を可能にするＵＥ電力節約モードと、削減されたモデムの複雑度を可能とする新たなＵＥカテゴリとを定義した。リリース１３では、将来のＭＴＣ作業が、さらにＵＥコストを削減し、及びカバレッジの拡張を提供することが期待される［４］。コスト削減を可能にする鍵となる要素は、任意のシステム帯域幅の範囲内でダウンリンク及びアップリンクにおいて１．４ＭＨｚという削減されたＵＥのＲＦ帯域幅を導入することである［４］。
【０００５】
＜ＥＰＤＣＣＨ＞
通常のＵＥについて、ＰＤＣＣＨに加えてＥＰＤＣＣＨをモニタリングするようにＵＥを構成することができる［１］［２］。
【０００６】
各サービングセルについて、上位レイヤシグナリングは、ＥＰＤＣＣＨモニタリングのために、１つ又は２つのＥＰＤＣＣＨ−ＰＲＢセットと共にＵＥを構成し得る。各ＥＰＤＣＣＨ−ＰＲＢセットは、０からＮＥＣＣＥｐ，ｋ−１まで付番された拡張制御チャネルエレメント（ＥＣＣＥ）のセットからなり、ＮＥＣＣＥｐ，ｋは、サブフレームｋのＥＰＤＣＣＨ−ＰＲＢセットｐ内のＥＣＣＥの数である。各ＥＰＤＣＣＨ−ＰＲＢセットは局所的（localized）ＥＰＤＣＣＨ送信又は分散的（distributed）ＥＰＤＣＣＨ送信のいずれかについて構成されてよい。
【０００７】
ＵＥは、制御情報のための上位レイヤシグナリングにより構成される通りに、１つ以上のアクティブ化されたサービングセル上で、ＥＰＤＣＣＨ候補のセットをモニタリングするものとされ、ここでモニタリングとは、モニタリングされるＤＣＩフォーマットに従ってセット内のＥＰＤＣＣＨの各々の復号を試行することを示唆する。
【０００８】
モニタリングされるべきＥＰＤＣＣＨ候補のセットは、ＥＰＤＣＣＨ  ＵＥ固有サーチスペースを単位として定義される。
【０００９】
各サービングセルについて、ＵＥがＥＰＤＣＣＨ  ＵＥ固有サーチスペースをモニタリングするサブフレームが上位レイヤにより構成される［３］。
【００１０】
既存のＰＤＣＣＨ及びＥＰＤＣＣＨのサーチスペースは、単一のサブフレームについてのみ定義されている。また、ＵＥがモニタリングするサーチスペースは、固定的であって、ＵＥが経験する動作シナリオに従って構成可能でもない。
【００１１】
これに対し、リリース１３のＭＴＣ  ＵＥは、時間的な反復の回数を含むサーチスペースの定義を必要とする。また、ＭＴＣ  ＵＥは、低コストＵＥに対して通常コストＵＥ、通常カバレッジに対して様々な度合の拡張を伴う拡張カバレッジといったものを含む、広範な動作条件を包含する。よって、リリース１３のＭＴＣ動作について新たなサーチスペース定義が必要である。
【００１２】
本文書の背景欄は、本発明概念の実施形態を技術的な及び動作上の文脈に置いて当業者によるそのスコープ及び有用性の理解を助けるために提供されている。別段明示的にそのように識別されない限り、ここでのいかなる記述も、単にそれを背景欄へ含めたことによって従来技術として自認されるわけではない。
【発明の概要】
【発明が解決しようとする課題】
【００１３】
ここでの実施形態の目的は、ＵＥの効率的な構成を提供することである。
【課題を解決するための手段】
【００１４】
ここで説明され主張される１つ以上の実施形態によれば、次の特徴が提供される：
ある回数の時間的な反復を含むＬＣ−ＰＤＣＣＨサーチスペースを定義するためのシステム、方法、デバイス及びコンピュータプログラムプロダクト；
上位レイヤシグナリングを介してＵＥがモニタリングするＬＣ−ＰＤＣＣＨサーチスペースを構成するためのシステム、方法、デバイス及びコンピュータプログラムプロダクト；並びに、
ＵＥにより周期的にフォールバックサーチスペースがモニタリングされるようにフォールバックの仕組みを定義するためのシステム、方法、デバイス及びコンピュータプログラムプロダクト。
【００１５】
第１の観点によれば、ＵＥを構成するための方法が提供される。上記方法は、基地局により実行される。上記方法は、ＲＣシグナリングを用いて、複数のＬＣ−ＰＤＣＣＨ反復レベルレンジの順序付きセットから選択されるＬＣ−ＰＤＣＣＨ反復レベルレンジと共に上記ＵＥを構成すること、を含む。上記方法は、上記ＵＥへのトランスポートブロック送信のために、構成された上記ＬＣ−ＰＤＣＣＨ反復レベルレンジからＬＣ−ＰＤＣＣＨ反復レベルを選択すること、を含む。
【００１６】
第２の観点によれば、ＵＥを構成するための基地局が提供される。上記基地局は、プロセッサを備える。上記プロセッサは、ＲＲＣシグナリングを用いて、複数のＬＣ−ＰＤＣＣＨ反復レベルレンジの順序付きセットから選択されるＬＣ−ＰＤＣＣＨ反復レベルレンジと共に上記ＵＥを構成すること、を上記基地局に行わせるように構成される。上記プロセッサは、上記ＵＥへのトランスポートブロック送信のために、構成された上記ＬＣ−ＰＤＣＣＨ反復レベルレンジからＬＣ−ＰＤＣＣＨ反復レベルを選択すること、を上記基地局に行わせるように構成される。
【００１７】
第３の観点によれば、ＵＥを構成するための基地局が呈示される。上記基地局は、ＲＲＣシグナリングを用いて、複数のＬＣ−ＰＤＣＣＨ反復レベルレンジの順序付きセットから選択されるＬＣ−ＰＤＣＣＨ反復レベルレンジと共に上記ＵＥを構成する、ように構成される構成モジュール、を備える。上記基地局は、上記ＵＥへのトランスポートブロック送信のために、構成された上記ＬＣ−ＰＤＣＣＨ反復レベルレンジからＬＣ−ＰＤＣＣＨ反復レベルを選択する、ように構成される選択モジュール、を備える。
【００１８】
第４の観点によれば、ＵＥを構成するための基地局が呈示される。上記基地局は、プロセッサ及びコンピュータプログラムプロダクトを備える。上記コンピュータプログラムプロダクトは、上記プロセッサにより実行された場合に上記基地局にステップ又は動作を行わせる命令、を記憶する。上記ステップ又は動作は、上記基地局に、ＲＲＣシグナリングを用いて、複数のＬＣ−ＰＤＣＣＨ反復レベルレンジの順序付きセットから選択されるＬＣ−ＰＤＣＣＨ反復レベルレンジと共に上記ＵＥを構成すること、を行わせる。上記ステップ又は動作は、上記基地局に、上記ＵＥへのトランスポートブロック送信のために、構成された上記ＬＣ−ＰＤＣＣＨ反復レベルレンジからＬＣ−ＰＤＣＣＨ反復レベルを選択すること、を行わせる。
【００１９】
第５の観点によれば、ＵＥを構成するためのコンピュータプログラムであって、基地局のプロセッサ上で実行された場合に、第１の観点に係る方法を上記基地局に実行させるコンピュータプログラムコード、を含むコンピュータプログラムが呈示される。
【００２０】
第６の観点によれば、ＵＥの構成を取得するための方法が呈示される。上記方法は、上記ＵＥにより実行される。上記方法は、基地局からのＲＲＣシグナリングを用いて、複数のＬＣ−ＰＤＣＣＨ反復レベルレンジの順序付きセットから選択されるＬＣ−ＰＤＣＣＨ反復レベルレンジについての構成情報を受信すること、を含む。上記方法は、構成される上記ＬＣ−ＰＤＣＣＨ反復レベルレンジ内の少なくとも１つの値に従って、上記ＬＣ−ＰＤＣＣＨの復号を試行すること、を含む。
【００２１】
第７の観点によれば、構成を取得するためのＵＥが呈示される。上記ＵＥは、プロセッサを備える。上記プロセッサは、基地局からのＲＲＣシグナリングを用いて、複数のＬＣ−ＰＤＣＣＨ反復レベルレンジの順序付きセットから選択されるＬＣ−ＰＤＣＣＨ反復レベルレンジについての構成情報を受信すること、を上記ＵＥに行わせるように構成される。上記プロセッサは、構成される上記ＬＣ−ＰＤＣＣＨ反復レベルレンジ内の少なくとも１つの値に従って、上記ＬＣ−ＰＤＣＣＨの復号を試行すること、を上記ＵＥに行わせるように構成される．
【００２２】
第８の観点によれば、構成を取得するためのＵＥが呈示される。上記ＵＥは、基地局からのＲＲＣシグナリングを用いて、複数のＬＣ−ＰＤＣＣＨ反復レベルレンジの順序付きセットから選択されるＬＣ−ＰＤＣＣＨ反復レベルレンジについての構成情報を受信する、ように構成される受信モジュール、を備える。上記ＵＥは、構成される上記ＬＣ−ＰＤＣＣＨ反復レベルレンジ内の少なくとも１つの値に従って、上記ＬＣ−ＰＤＣＣＨの復号を試行する、ように構成される復号モジュール、を備える。
【００２３】
第９の観点によれば、構成を取得するためのＵＥが呈示される。上記ＵＥは、プロセッサ及びコンピュータプログラムプロダクトを備える。上記コンピュータプログラムプロダクトは、上記プロセッサにより実行された場合に上記ＵＥにステップ又は動作を行わせる命令、を記憶する。上記ステップ又は動作は、基地局からのＲＲＣシグナリングを用いて、複数のＬＣ−ＰＤＣＣＨ反復レベルレンジの順序付きセットから選択されるＬＣ−ＰＤＣＣＨ反復レベルレンジについての構成情報を受信すること、を上記ＵＥに行わせる。上記ステップ又は動作は、構成される上記ＬＣ−ＰＤＣＣＨ反復レベルレンジ内の少なくとも１つの値に従って、上記ＬＣ−ＰＤＣＣＨの復号を試行すること、を上記ＵＥに行わせる。
【００２４】
第１０の観点によれば、構成を取得するためのコンピュータプログラムであって、ＵＥのプロセッサ上で実行された場合に、第６の観点に係る方法を上記ＵＥに実行させるコンピュータプログラムコード、を含むコンピュータプログラムが呈示される。
【００２５】
第１１の観点によれば、第５の観点及び第１０の観点のうちの少なくとも１つに係るコンピュータプログラムと、当該コンピュータプログラムが記憶されたコンピュータ読取可能な記憶媒体と、を含むコンピュータプログラムプロダクトが呈示される。上記コンピュータ読取可能な記憶媒体は、非一時的なコンピュータ読取可能な記憶媒体であり得る。
【００２６】
第１２の観点によれば、ＵＥを構成するためのシステムが呈示される。上記システムは、上記ＵＥ及び基地局を含む。上記基地局は、ＲＲＣシグナリングを用いて、複数のＬＣ−ＰＤＣＣＨ反復レベルレンジの順序付きセットから選択されるＬＣ−ＰＤＣＣＨ反復レベルレンジと共に上記ＵＥを構成する、ように構成される。上記基地局は、上記ＵＥへのトランスポートブロック送信のために、構成された上記ＬＣ−ＰＤＣＣＨ反復レベルレンジからＬＣ−ＰＤＣＣＨ反復レベルを選択する、ように構成される。上記ＵＥは、上記基地局からの構成情報として、ＲＲＣシグナリングを用いて、上記ＬＣ−ＰＤＣＣＨ反復レベルレンジを受信する、ように構成される。上記ＵＥは、構成される上記ＬＣ−ＰＤＣＣＨ反復レベルレンジ内の少なくとも１つの値に従って、上記ＬＣ−ＰＤＣＣＨの復号を試行する、ように構成される。
【発明の効果】
【００２７】
有利には、上記方法、上記基地局、上記ＵＥ、上記システム及び上記コンピュータプログラムは、ＵＥの効率的な構成を提供する。
【００２８】
本発明概念の実施形態は、従来技術に対して数多くの利点を呈示する。上記方法は、狭帯域ＭＴＣ  ＵＥがより広いシステム帯域幅を伴うレガシーＬＴＥシステムにおいて動作すること及び初期化段階でＬＣ−ＰＤＣＣＨの構成を取得できるようになることを可能にする。
【００２９】
留意すべきこととして、上記第１、第２、第３、第４、第５、第６、第７、第８、第９、第１０、第１１及び第１２の観点のいかなる特徴も、適切である限り、他のどの観点へ適用されてもよい。同様に、第１の観点のいかなる利点も、第２、第３、第４、第５、第６、第７、第８、第９、第１０、第１１及び／又は第１２の観点にそれぞれ等しく当てはまり、逆もまたしかりであり得る。以下の詳細な開示から、添付の従属項から、及び図面から、包含されている実施形態の他の目的、特徴及び利点が明らかとなるであろう。
【００３０】
概して、特許請求の範囲において使用されている全ての用語は、ここで別段の明示的な定義の無い限り、本技術分野におけるそれらの通常の意味に従って解釈されるものとする。“エレメント、装置、コンポーネント、手段、ステップなど”への全ての言及は、別段の明示的な記述の無い限り、そのエレメント、装置、コンポーネント、手段、ステップなどの少なくとも１つの実例へのオープンな言及として解釈されるものとする。ここで開示されるいかなる方法のステップも、明示的な記述の無い限り、開示された厳密な順序で実行されなくてよい。
【図面の簡単な説明】
【００３１】
本発明概念が、次の添付図面への参照と共に、例示の手段によって以下に説明される。
【００３２】
【図１】ＬＴＥダウンリンク物理リソースの時間−周波数ドメインである。
【図２】ＬＣ−ＰＤＣＣＨ反復ファクタパターンと共にＵＥ受信機のオン／オフステータスを描いた図である。
【図３】基地局の機能ブロック図である。
【図４】ＵＥの機能ブロック図である。
【図５】基地局の機能モジュール図である。
【図６】ＵＥの機能モジュール図である。
【図７】実施形態に係る方法のフローチャートである。
【図８】実施形態に係る方法のフローチャートである。
【図９】実施形態に係る方法のフローチャートである。
【図１０】実施形態に係る方法のフローチャートである。
【発明を実施するための形態】
【００３３】
簡明さ及び説明の目的のために、本発明概念がそれらの例示的な実施形態を主に参照することにより説明される。以下の説明において、本発明概念の綿密な理解を提供する目的で数多くの具体的な詳細が説示される。しかしながら、当業者にとっては、本発明概念がそれら具体的な詳細に限定されずとも実践され得ることが直ちに明白となるであろう。本説明において、本発明概念を不必要に曖昧にしないために、よく知られた方法及び構造は詳細には説明されていない。
【００３４】
以下では、帯域幅の削減された低複雑度ＵＥ［４］をサポートするように定義される物理ダウンリンク制御チャネルをＬＣ−ＰＤＣＣＨという。
【００３５】
ＬＣ−ＰＤＣＣＨの代替的な名称は、ｅＭＴＣにおけるＭＰＤＣＣＨ及びＮＢ−ＩｏＴにおけるＮＰＤＣＣＨである。よって、ＬＣ−ＰＤＣＣＨ、ＭＰＤＣＣＨ及びＮＰＤＣＣＨという用語は、等価であるものと見なされる。
【００３６】
なお、一例として低複雑度ＵＥが使用されるものの、上記チャネルの設計は、他のタイプのＵＥによっても利用されることができる。ＬＣ−ＰＤＣＣＨは、代替的な物理ダウンリンク制御チャネルとして、又はＥＰＤＣＣＨの代替的な方式として取り入れられることができる。以下では、“ＵＥ”は、別段示されない限り、低複雑度ＵＥ［４］をいう。
【００３７】
ここで図７を参照すると、同図は一実施形態に係る基地局１０により実行される通りのＵＥ３０を構成するための方法を示している。
【００３８】
Ｓ１０４：基地局１０は、あるＬＣ−ＰＤＣＣＨ反復レベルレンジと共にＵＥ３０を構成する。基地局１０は、ＲＲＣシグナリングを用いてＵＥ３０を構成する。ＬＣ−ＰＤＣＣＨ反復レベルレンジでのＵＥ３０の構成を、ＵＥ３０を時間ドメインにおいて構成することであると見なすことができる（「ＬＣ−ＰＤＣＣＨについての時間ドメインリソース割り当て」参照）。
【００３９】
Ｓ１０６：上記基地局は、ＵＥ３０へのトランスポートブロック送信のために、構成済みのＬＣ−ＰＤＣＣＨ反復レベルレンジからＬＣ−ＰＤＣＣＨ反復レベルを選択する。
【００４０】
基地局１０により実行される通りのＵＥ３０の構成のさらなる詳細に関する実施形態が以下に開示されるであろう。
【００４１】
ここで図８を参照すると、同図はさらなる実施形態に係る基地局１０により実行される通りのＵＥ３０を構成するための方法を示している。ステップＳ１０４及びＳ１０６は、上で開示した通りに実行され、よってそれらの説明の繰り返しを省略するものとする。
【００４２】
ＬＣ−ＰＤＣＣＨ反復レベルレンジのセットを定義する様々な手法が存在する。一実施形態によれば、複数のＬＣ−ＰＤＣＣＨ反復レベルレンジのセット内の隣り合うＬＣ−ＰＤＣＣＨ反復レベルレンジは、部分的に重複している。
【００４３】
いくつかの観点によれば、基地局１０は、周波数ドメインにおいてＵＥ３０を構成するように構成され、これはステップＳ１１２の通りである：
Ｓ１１２：基地局１０は、ＬＣ−ＰＤＣＣＨのサブフレーム内の６つのＰＲＢのグループの範囲内で、ＰＲＢの２つ、４つ又は６つのペア上で動作するようにＵＥ３０へ命令することにより、ＵＥ３０を周波数ドメインにおいて構成する。
【００４４】
いくつかの観点によれば、ＬＣ−ＰＤＣＣＨ−ＰＲＢセットのＰＲＢ位置を指し示すために、高々２ビットが使用される。よって、一実施形態によれば、上記グループの範囲内のＰＲＢの位置は、上記構成において高々２ビットで指し示される。
【００４５】
基地局１０がＬＣ−ＰＤＣＣＨ反復レベルのセットを選択する様々な手法が存在し得る。いくつかの観点によれば、基地局１０は、反復回数についての複数の候補を含む（時間ドメイン構成により、及びオプションとして周波数ドメインにより定義されるような）サーチスペースと共にＵＥ３０を構成するように構成される（それら候補は、構成されるＬＣ−ＰＤＣＣＨ反復レベルレンジ内の値により定義される）。そして、基地局１０は、（構成されるＬＣ−ＰＤＣＣＨ反復レベルレンジ内の値の復号を試行するようにＵＥ３０を構成することにより）ＵＥ３０にそれら候補を試行させ、次いで（例えば、ＵＥ３０によりなされた復号試行の情報を受信することにより）それら候補のうちのどれを使用することが望まれるかを動的に選択する、ように構成され得る。
【００４６】
周波数ドメインにおけるＵＥ３０の構成のこれら及びさらなる観点が以下に開示されるであろう（「ＬＣ−ＰＤＣＣＨについての周波数ドメインリソース割り当て」参照）
【００４７】
基地局１０が時間ドメイン及び周波数ドメインの双方においてＵＥを構成し、よってＬＣ−ＰＤＣＣＨ向けのサーチスペース定義をＵＥ３０へ提供する際にアクションするための、様々な手法が存在し得る。以下により詳細に開示されるように（「ＬＣ−ＰＤＣＣＨについてのサーチスペース定義」参照）、基地局１０は、ＬＣ−ＰＤＣＣＨ反復レベルレンジを構成し（即ち、ＵＥ３０を時間ドメインにおいて構成し）、及び別個に独立して行うか又は結合的に行うかのいずれかでＵＥ３０を周波数ドメインにおいて構成する、ように構成され得る。
【００４８】
フォールバックの仕組みの様々な観点（「フォールバック」参照）が以下により詳細に説明されるであろう。第１のフォールバックメカニズムによれば、基地局１０は、ステップＳ１０２及びステップＳ１０８を実行するように構成される：
Ｓ１０２：基地局１０は、現在チャネル条件の標識を取得する。現在チャネル条件は、ＬＣ−ＰＤＣＣＨ反復閾値レベルに対応する。
【００４９】
Ｓ１０８：基地局１０は、ＬＣ−ＰＤＣＣＨ反復レベルがＬＣ−ＰＤＣＣＨ反復閾値レベルよりも高くなるように、現在チャネル条件の標識に基づいてＬＣ−ＰＤＣＣＨ反復レベルを選択する。
【００５０】
ステップＳ１０８は、ステップＳ１０６の一部として実行されることができる。
【００５１】
第２のフォールバックメカニズムによれば、基地局１０は、ステップＳ１１０を実行するように構成される：
Ｓ１０８：基地局１０は、ＬＣ−ＰＤＣＣＨ反復レベルが第１の回数の反復を含む第１ピリオドと第２の回数の反復を含む第２ピリオドとを包含するように、ＬＣ−ＰＤＣＣＨ反復レベルを選択する。第２ピリオド内の上記反復は、第１ピリオド内よりも密に配置される。
【００５２】
ステップＳ１１０は、ステップＳ１０６の一部として実行されることができる。
【００５３】
ここで図９を参照すると、同図は一実施形態に係るＵＥ３０により実行される通りの構成を取得するための方法を示している。
【００５４】
Ｓ２０２：ＵＥ３０は、ＬＣ−ＰＤＣＣＨ反復レベルレンジについての構成情報を受信する。ＬＣ−ＰＤＣＣＨ反復レベルレンジは、複数のＬＣ−ＰＤＣＣＨ反復レベルレンジの順序付きセットから選択される。上記構成情報は、ＲＲＣシグナリングを用いて、基地局１０から受信される。ＬＣ−ＰＤＣＣＨ反復レベルレンジでのＵＥ３０の構成を、ＵＥ３０を時間ドメインにおいて構成することであると見なすことができる（「ＬＣ−ＰＤＣＣＨについての時間ドメインリソース割り当て」参照）。
【００５５】
Ｓ２０８：ＵＥ３０は、構成されるＬＣ−ＰＤＣＣＨ反復レベルレンジ内の少なくとも１つの値に従って、ＬＣ−ＰＤＣＣＨの復号を試行する。
【００５６】
ＵＥ３０により実行される通りの構成の取得のさらなる詳細に関する実施形態が以下に開示されるであろう。
【００５７】
ここで図１０を参照すると、同図はさらなる実施形態に係るＵＥ３０により実行される通りの構成を取得するための方法を示している。ステップＳ２０２及びＳ２０８は、上で開示した通りに実行され、よってそれらの説明の繰り返しを省略するものとする。
【００５８】
復号が失敗した際にＵＥ３０がアクションするための様々な手法が存在する。構成されるＬＣ−ＰＤＣＣＨ反復レベルレンジ内に、少なくとも１つのより高い値が存在するはずである。一実施形態によれば、ＵＥ３０は、従って、ステップ２１０を実行するように構成される：
Ｓ２１０：ＵＥ３０は、ＬＣ−ＰＤＣＣＨ反復レベルレンジ内の上記少なくとも１つのより高い値のうちの少なくとも１つに従って、ＬＣ−ＰＤＣＣＨの復号を試行する。
【００５９】
構成されるＬＣ−ＰＤＣＣＨ反復レベルレンジ内のどの１つ又は複数の値で復号を試行すべきかをＵＥ３０が判定するための様々な手法が存在し得る。一実施形態によれば、ＵＥ３０は、ステップＳ２０４を実行するように構成されることにより、基地局１０からそうした情報を受信するように構成される：
Ｓ２０４：ＵＥ３０は、ＬＣ−ＰＤＣＣＨ反復レベルレンジの上記少なくとも１つの値を指し示す標識を受信する。
【００６０】
上で開示したように、いくつかの観点によれば、基地局１０は、周波数ドメインにおいてＵＥ３０を構成するように構成される。よって、一実施形態によれば、ＵＥ３０は、ステップＳ２０６及びＳ２０８を実行することにより周波数ドメインにおいてそうした構成を受信する、ように構成される：
Ｓ２０６：ＵＥ３０を周波数ドメインにおいて構成するための、基地局１０からの命令を受信する。当該命令は、ＬＣ−ＰＤＣＣＨのサブフレーム内の６つのＰＲＢのグループの範囲内でＰＲＢの２つ、４つ又は６つのペア上で動作するようにＵＥ３０へ命令する。
【００６１】
Ｓ２０８：ＵＥ３０は、上記命令に従って、ＬＣ−ＰＤＣＣＨのサブフレーム内の６つのＰＲＢの上記グループの範囲内の２つ、４つ又は６つのペアの復号を試行する。
【００６２】
周波数ドメインにおけるＵＥ３０の構成のさらなる観点が以下に開示されるであろう（「ＬＣ−ＰＤＣＣＨについての周波数ドメインリソース割り当て」参照）。
【００６３】
基地局１０への言及と共に上で開示した実施形態は、概して、ＵＥ３０にも適宜準用される形で当てはまる。
【００６４】
例えば、上で開示したように、ＬＣ−ＰＤＣＣＨ反復レベルレンジのセットを定義する様々な手法が存在し得る。一実施形態によれば、複数のＬＣ−ＰＤＣＣＨ反復レベルレンジのセット内の隣り合うＬＣ−ＰＤＣＣＨ反復レベルレンジは、部分的に重複している。
【００６５】
例えば、上で開示したように、いくつかの観点によれば、ＬＣ−ＰＤＣＣＨ−ＰＲＢセットのＰＲＢ位置を指し示すために、高々２ビットが使用される。よって、一実施形態によれば、上記グループの範囲内のＰＲＢの位置は、上記構成において高々２ビットで指し示される。
【００６６】
例えば、上で開示したように、一実施形態によれば、ＬＣ−ＰＤＣＣＨ反復レベルは、第１の回数の反復を含む第１ピリオドと第２の回数の反復を含む第２ピリオドとを包含し、第２ピリオド内の上記反復は、第１ピリオド内よりも密に配置される。
【００６７】
上で呈示した実施形態の少なくともいくつかに関する詳細な実施形態について以下に開示する。下記詳細な実施形態は、基地局１０及びＵＥ３０へ等しく良好に当てはまる。
【００６８】
【数１】
0006657252.tif 000002
【００６９】
【数２】
0006657252.tif 000003
【００７０】
言い換えると、ＬＣ−ＰＤＣＣＨが６ＰＲＢを完全に占めることになる場合、ＲＢリソース割り当てを指し示す必要性が無くなる。
【００７１】
セット内でＲＢを定義する際の完全な柔軟性を有することが必要ではない場合には、ＬＣ−ＰＤＣＣＨ−ＰＲＢセット定義においてより少ないビットを使用することが可能である。例えば次の通りである：
【００７２】
ＮRBXp＝２について、３通りの可能性のみが定義される場合、ＬＣ−ＰＤＣＣＨ−ＰＲＢセットのＰＲＢ位置を指し示すために２ビットのみが必要である。ＰＲＢリソース候補の単純な例：（ａ）ＰＲＢ｛＃０，＃１｝，（ｂ）ＰＲＢ｛＃２，＃３｝，（ｃ）ＰＲＢ｛＃４，＃５｝
【００７３】
ＮRBXp＝４について、３通りの可能性のみが定義される場合、ＬＣ−ＰＤＣＣＨの−ＰＲＢセットのＰＲＢ位置を指し示すために２ビットのみが必要である。ＰＲＢリソース候補の単純な例：（ａ）ＰＲＢ｛＃０，＃１，＃２，＃３｝，（ｂ）ＰＲＢ｛＃０，＃１，＃４，＃５｝，（ｃ）ＰＲＢ｛＃２，＃３，＃４，＃５｝
【００７４】
上記ＰＲＢセットを用いると、各ＮRBXp＝２のセットは、補完的なＮRBXp＝４のセットを有する。
【００７５】
セットサイズ｛２，４，６｝に加えて、６ＰＲＢのグループのうちの各々半分を２つのＬＣ−ＰＤＣＣＨ  ＰＲＢセットが取り得るように、サイズ３のＬＣ−ＰＤＣＣＨ  ＰＲＢセットを定義することもまた有益である。このケースでは、（ａ）ＰＲＢ｛＃０，＃１，＃２｝及び（ｂ）ＰＲＢ｛＃３，＃４，＃５｝という２つの可能性を指し示すために１ビットのみが必要である。
【００７６】
ＬＴＥリリース１１以降のレガシーＬＣ−ＰＤＣＣＨ定義では、アグリゲーションレベルの可変的な数Ｌと共に、１６個までのブラインド復号候補が定義されている。
【００７７】
ＭＴＣ  ＵＥについて、全体的なアグリゲーションレベルは、時間次元及び周波数次元の双方を有する。以下で議論されるように、いくつかのＲＲＣ構成において、ＬＣ−ＰＤＣＣＨの４通りのあり得る反復回数という点で、時間ドメインにおいて４つの可能性が許容されており、例えば以下のN_rep_set(2)〜N_rep_set(7)である。ＵＥ固有サーチスペースのブラインド復号候補の数を従前と同じ、即ち１６個に維持することが望ましい場合、周波数ドメインにおいて、１サブフレームの範囲内で高々４通りの可能性までが存在すべきである。
【００７８】
レガシーＥＰＤＣＣＨ定義では、２つまでのＥＰＤＣＣＨ−ＰＲＢセットを定義することができ、各ＥＰＤＣＣＨ−ＰＲＢセットは、局所化され又は分散されることができる。リリース１３のＭＴＣ  ＵＥについては、ＬＣ−ＰＤＣＣＨ送信のために高々６つのＰＲＢが利用可能であることから、活用すべき実質的な周波数選択性があるとは見込まれない。よって、あり得るＬＣ−ＰＤＣＣＨ構成は、ＥＰＤＣＣＨ構成と比較して削減され得る。１つの例において、ＬＣ−ＰＤＣＣＨについて局所化又は分散がＲＲＣシグナリングを介して構成されるが、１ＰＲＢセットを局所化し同時に１ＰＲＢセットを分散するという定義はされない。
【００７９】
＜ＬＣ−ＰＤＣＣＨについての時間ドメインリソース割り当て＞
所与のトランスポートブロック送信について、ＬＣ−ＰＤＣＣＨ反復レベルは、アグリゲーションレベル（ＡＬ）内の値のセットから基地局１０により選択される変数である。ＲＲＣ信号が、サーチスペースにおいてＵＥが前提とする反復レベルのレンジを構成する。
【００８０】
例：
N_rep_set(0)＝｛１｝回の時間的な反復；
N_rep_set(1)＝｛１，２｝回の時間的な反復；
N_rep_set(2)＝｛１，２，４，６｝回の時間的な反復；
N_rep_set(3)＝｛２，４，６，８｝回の時間的な反復；
N_rep_set(4)＝｛４，８，１２，１６｝回の時間的な反復；
N_rep_set(5)＝｛８，１６，２４，３２｝回の時間的な反復；
N_rep_set(6)＝｛１６，３２，４８，６４｝回の時間的な反復；
N_rep_set(7)＝｛３２，６４，９６，１２８｝回の時間的な反復；
【００８１】
ＵＥは、ＲＲＣシグナリングを通じて、N_rep_set(i)と共に構成される。基地局１０が多かれ少なかれＲＲＣ再構成無しで柔軟に反復を使用できるように、２つの隣り合うＡＬセットの間に重複が確実に存在するようにすることが有益であり得る。すると、基地局１０は、ＵＥチャネル条件が実質的に変化した場合にＲＲＣ再構成を行使する必要があるのみである。
【００８２】
＜ＬＣ−ＰＤＣＣＨについてのサーチスペース定義＞
ＬＣ−ＰＤＣＣＨについてのサーチスペース定義は、時間パラメータ及び周波数パラメータの組み合わせである。ＬＣ−ＰＤＣＣＨについてサーチスペースを定義する少なくとも２つの手法が存在する。
【００８３】
［独立的な時間−周波数定義］
このオプションにおいて、時間次元及び周波数次元は、別個に独立して定義される。この場合、サーチスペースは、２つの次元の組み合わせである。よって、所与のサブフレームの範囲内でリソース割り当ての４つのオプション（例えば、テーブル３）と、時間的な反復回数の４通りのオプション（例えば、N_rep_set(2)〜N_rep_set(7)）とが存在する場合、合計で４×４＝１６回のブラインド復号候補が存在する。
【００８４】
このオプションは、単純な定義及び仕様化の作業という恩恵を有する。しかしながら、｛Ｌ＝２，N_rep＝１２８｝という組み合わせは、ＵＥのレイテンシを不必要に増加させることから、有用ではないと考えられ得る。これは、ＵＥがＬＣ−ＰＤＣＣＨモニタリングごとに１２８個のサブフレームにわたってアクティブであり続けることを必要とすることから、ＵＥの電力消費をも増加させる。比較として、ＵＥがＬＣ−ＰＤＣＣＨモニタリングごとに１２個のサブフレームにわたってのみアクティブであり続ければよい｛Ｌ＝２４，N_rep＝１２｝という代替案では、１２サブフレーム内でＬＣ−ＰＤＣＣＨが検出されない場合、ＵＥは、次回のＬＣ−ＰＤＣＣＨモニタリング機会までスリープすることができる。
【００８５】
＜組み合わせとしての時間−周波数定義＞
このオプションにおいて、ブラインド復号候補のセットは、時間−周波数エレメントの組み合わせの固有のセットである。時間ドメイン及び周波数ドメインは、独立的ではなく、又は完全に組み合わせ可能ではない。ＵＥが探索することを必要とするブラインド復号候補のセットが制限されるように、有用ではない時間ドメイン及び周波数ドメインの組み合わせが識別され及び除外される。
【００８６】
ブラインド復号候補を構築する１つの例は、以下の通りである：
ＲＲＣがN_rep_set(0)を構成する場合、サブフレームをまたいだ反復は存在しない：１サブフレーム内のリソース割り当て：テーブル１であり、サブフレーム内に１６個までの候補が存在し得る；サブフレームをまたいだ反復：N_rep_set(0)＝｛１｝
【００８７】
ＲＲＣがN_rep_set(1)を構成する場合、サブフレームをまたいだ反復は１回（即ち、繰り返し無し）又は２回である：サブフレーム内のリソース割り当て：テーブル２であり、１サブフレーム内に８個までの候補が存在し得る；サブフレームをまたいだ反復：N_rep_set(1)＝｛１，２｝
【００８８】
ＲＲＣがN_rep_set(2)を構成する場合、サブフレームをまたいだ別個の反復は４回である：サブフレーム内のリソース割り当て：テーブル３であり、１サブフレーム内に４個までの候補が存在し得る；サブフレームをまたいだ反復：N_rep_set(2)＝｛１，２，４，６｝
【００８９】
ＲＲＣがN_rep_set(3)〜N_rep_set(7)を構成する場合、サブフレームをまたいだ別個の反復は４回である（なお、１サブフレーム内で利用可能なリソースが以下に示すようにＬＣ−ＰＤＣＣＨ候補により完全に占有される場合、N_rep_set(0)〜N_rep_set(2)について１６通りではなく、時間次元に従って４通りのブラインド復号候補のみが存在する）：サブフレーム内のリソース割り当て：６ＰＲＢを完全に占有し、即ちＬＣ−ＰＤＣＣＨはＮECCE,p,k個のＥＣＣＥを占有し、ここでＮECCE,p,kはサブフレームｋのＬＣ−ＰＤＣＣＨ−ＰＲＢセットｐ内のＥＣＣＥの数である。なお、ＬＣ−ＰＤＣＣＨがＵＥ向けに構成されるサブフレーム内の６ＰＲＢのグループを完全に占有するように、ＮRBXp＝６のみをさらに定義することができる。サブフレームをまたいだ反復のあり得る回数のオプションは、ｉ＝３，４，…，７であればN_rep_set(i)において４通りである。
【００９０】
【表１】
0006657252.tif 000004
【００９１】
【表２】
0006657252.tif 000005
【００９２】
【表３】
0006657252.tif 000006
【００９３】
例えば、（共通ＬＣ−ＰＤＣＣＨサーチスペースではく）ＵＥ固有のＬＣ−ＰＤＣＣＨサーチスペースは、テーブル４に従って、所与の最大値ｒｍａｘについて、ＬＣ−ＰＤＣＣＨ反復ファクタｒ１、ｒ２、ｒ３及びｒ４を伴うＬＣ−ＰＤＣＣＨ候補からなり得る。
【００９４】
【表４】
0006657252.tif 000007
【００９５】
＜フォールバック＞
理想的には、基地局１０は、ＵＥのその時点のカバレッジ状況にちょうど適したＬＣ−ＰＤＣＣＨの反復回数と共にＵＥを構成するはずである。そのようにして、ＵＥは、構成された反復回数分のＬＣ−ＰＤＣＣＨを受信することを要する時間の間、自身の受信機をオンに保つことを必要とするのみとなることから、不必要な電力消費（及び関連付けられるバッテリ排出）を回避するであろう。チャネル条件が劣化した場合、基地局１０は、より大きいＬＣ−ＰＤＣＣＨの反復回数と共にＵＥを再構成することができる。
【００９６】
しかしながら、ＲＲＣ再構成メッセージ自体をＬＣ−ＰＤＣＣＨと共にスケジューリングする必要がある場合、基地局１０がＵＥへＲＲＣ再構成メッセージを十分な信頼性で送信するチャンスを得る前に、チャネル条件がひどく劣化する状況があり得る。これは、基地局１０がＵＥと通信することができず、何らかの形式のフォールバック動作が目下存在しない限り基地局１０がその状況を打開する手段を有しない、という状況をもたらしかねない。
【００９７】
１つのあり得るフォールバックの仕組みは、その時点のカバレッジ状況を表現する反復ファクタよりも大きい反復ファクタに関連付けられるＬＣ−ＰＤＣＣＨ候補をもＬＣ−ＰＤＣＣＨサーチスペースが含むようにＵＥを構成することである。チャネル条件が劣化した場合、基地局１０は、より大きいＬＣ−ＰＤＣＣＨ反復ファクタを用いてＵＥへのアクセスを試行する能力を有することになる。このアプローチの欠点は、ＵＥがより長い時間の間自身の受信機をオンに維持する必要が生じ、それによりその電力消費が増加することである。
【００９８】
代替的なフォールバックの仕組みとして、ＵＥをより大きい反復回数を含むフォールバックＬＣ−ＰＤＣＣＨサーチスペースと共に構成し、但しそのフォールバックＬＣ−ＰＤＣＣＨサーチスペースを適切に定義された時点でのみ適用可能としてもよい。以下は、これら“フォールバック機会”をいかに定義し得るかの一例である：
【００９９】
［周期的な時間的パターンの例］
４無線フレームにわたって通常サーチスペース→２無線フレームにわたってフォールバックサーチスペース→４無線フレームにわたって通常サーチスペース→２無線フレームにわたってフォールバックサーチスペース…
【０１００】
周期的なフォールバックパターンは、固定的であって仕様において定義されることができ、又は、他のＲＲＣパラメータで構成されることができる。
【０１０１】
このフォールバックアプローチでは、ＵＥは、ＬＣ−ＰＤＣＣＨ送信機会の合計数のうち２／（４＋２）＝１／３で、より大きい回数の反復を含むＬＣ−ＰＤＣＣＨサーチスペースを適用する必要があるのみとなるはずである。この原理が、図２に示されている。図２は、ＬＣ−ＰＤＣＣＨ反復ファクタパターンと共にＵＥの受信機のオン／オフステータスを描いている。図２では、１０ｍｓフレームごとに１回のＬＣ−ＰＤＣＣＨ送信機会が存在し、及び、ＵＥ受信機が通常サーチスペース機会ごとにｎミリ秒の間オンであってフォールバックサーチスペース機会ごとに２×ｎミリ秒の間オンである必要があるものとする。
【０１０２】
上述したフォールバックアプローチでは、ＲＲＣ信号が構成する反復レベルのレンジは、狭められ得る。例えば、上で開示したN_rep_setを次の通り修正することができる：
N_rep_set(0)＝｛１｝回の時間的な反復；
N_rep_set(1)＝｛１，２｝回の時間的な反復；
N_rep_set(2)＝｛２，４｝回の時間的な反復；
N_rep_set(3)＝｛４，８｝回の時間的な反復；
N_rep_set(4)＝｛８，１６｝回の時間的な反復；
N_rep_set(5)＝｛２４，３２｝回の時間的な反復；
N_rep_set(6)＝｛４８，６４｝回の時間的な反復；
N_rep_set(7)＝｛９６，１２８｝回の時間的な反復；
【０１０３】
ＲＲＣ信号がN_rep_set(i)を構成する場合：
通常サーチスペースを伴うＬＣ−ＰＤＣＣＨ送信機会について、ＵＥは、N_rep_set(i)に関連付けられるサーチスペースを前提とする。例えば、ｉ＝３であれば、ＵＥは、それぞれ４回及び８回の時間的な反復を伴うサーチスペースを前提とする。
【０１０４】
フォールバックサーチスペースを伴うＬＣ−ＰＤＣＣＨ送信機会について、ＵＥは、N_rep_set(i)におけるものの２倍の反復に関連付けられるサーチスペースを前提とする。例えば、ｉ＝３であれば、ＵＥは、それぞれ８回及び１６回の時間的な反復を伴うサーチスペースを前提とする。
【０１０５】
＜ハードウェア及びソフトウェア＞
図３は、本発明概念の実施形態において動作可能な基地局１０を描いている。当業者は認識しているように、基地局１０は、セル又はセクタとして知られる地理的領域において１つ以上のＵＥへワイヤレス通信サービスを提供するネットワークノードである。基地局１０は、ＬＴＥにおいてはｅＮｏｄｅＢ又はｅＮＢと呼ばれ、但し本発明概念はＬＴＥ又はｅＮＢには限定されない。基地局１０は、１つ以上のＵＥへのエアインタフェースをまたいだワイヤレス通信を作用させるために、他のネットワークノードとの間でデータを交換するように動作可能な回路１２、プロセッサ１４、メモリ１６、送受信機１８といった無線回路、及び１つ以上のアンテナ２０などを含む。本発明概念の実施形態によれば、メモリ１６は、（コンピュータプログラム及び／又はコンピュータプログラムプロダクトにより定義される）ソフトウェア２２を記憶するように動作可能であり、プロセッサ１４は、ソフトウェア２２を実行するように動作可能であり、ソフトウェア２２は、実行されると、ここで説明した方法及び機能を基地局１０に遂行させる、ように動作可能である。
【０１０６】
図４は、本発明概念の実施形態において動作可能なＵＥ３０を描いている。当業者は認識しているように、ＵＥ３０は、ワイヤレス通信ネットワーク内で動作可能な、バッテリー駆動でありよってモバイル型であり得るデバイスである。ＵＥ３０は、１つ以上の基地局１０へのエアインタフェースをまたいだワイヤレス通信を作用させるために、ユーザインタフェース３２（ディスプレイ、タッチスクリーン、キーボード又はキーパッド、マイクロフォン及びスピーカなど）、プロセッサ３４、メモリ３６、１つ以上の送受信機３８といった無線回路、及びアンテナ４０などを含む。概して、ＵＥ３０は、カメラ、リムーバブルメモリインタフェース、短距離通信インタフェース（Ｗｉ−Ｆｉ及びＢｌｕｅｔｏｏｔｈなど）、有線インタフェース及び（ＵＳＢ）などの機能（図４には示していない）を追加的に含んでもよい。一方で、ＭＴＣ  ＵＥは、それら追加的な機能を省略してもよく、実際、ユーザインタフェース３２を含まないかもしれず、最小限の処理パワー、メモリ、及びバッテリー容量／寿命のみを有し得る。本発明概念の実施形態によれば、メモリ３６は、（コンピュータプログラム及び／又はコンピュータプログラムプロダクトにより定義される）ソフトウェア４２を記憶するように動作可能であり、プロセッサ３４は、ソフトウェア４２を実行するように動作可能であり、ソフトウェア４２は、実行されると、ここで説明した方法及び機能をＵＥ３０に遂行させる、ように動作可能である。
【０１０７】
全ての実施形態において、プロセッサ１４、３４は、メモリ内にマシン読取可能なコンピュータプログラムとして記憶されるマシン命令を実行するように動作可能な何らかのシーケンシャルなステートマシンを含んでもよく、それは、１つ以上のハードウェア実装されたステートマシン（例えば、離散ロジック、ＦＰＧＡ、ＡＳＩＣなど）、適切なファームウェアと共にあるプログラマブルロジック、１つ以上のストアドプログラム、適切なソフトウェアと共にあるマイクロプロセッサ又はＤＳＰ（Digital  Signal  Processor）などの汎用プロセッサ、又は列挙したものの何らかの組み合わせなどである。
【０１０８】
全ての実施形態において、メモリ１６、３６は、当分野で知られており又は開発される可能性のある任意の一時的でないマシン読取可能な媒体を含んでよく、限定ではないものの、磁気メディア（例えば、フロッピーディスク、ハードディスクドライブなど）、光学メディア（例えば、ＣＤ−ＲＯＭ、ＤＶＤ−ＲＯＭなど）又はソリッドステートメディア（例えば、ＳＲＡＭ、ＤＲＡＭ、ＤＤＲＡＭ、ＲＯＭ、ＰＲＯＭ、ＥＰＲＯＭ、フラッシュメモリ、ソリッドステートディスクなど）などを含む。
【０１０９】
全ての実施形態において、無線回路は、当分野で知られており又は開発される可能性のある、ＩＥＥＥ８０２．ｘｘ、ＣＤＭＡ、ＷＣＤＭＡ、ＧＳＭ、ＬＴＥ、ＵＴＲＡＮ又はＷｉＭａｘなどの１つ以上の通信プロトコルに従って無線アクセスネットワークを介して１つ以上の他の送受信機１８、３８と通信するために使用される１つ以上の送受信機１８、３８を含んでよい。送受信機１８、３８は、無線アクセスネットワークのリンクにとって適切な送信機及び受信機の機能性（例えば、周波数割り当てなど）を実装する。送信機及び受信機の機能は、回路コンポーネント及び／又はソフトウェアを共用してもよく、又はその代わりに別個に実装されてもよい。
【０１１０】
全ての実施形態において、通信回路１２は、当分野で知られており又は開発される可能性のある、イーサネット、ＴＣＰ／ＩＰ、ＳＯＮＥＴ又はＡＴＭなどの１つ以上の通信プロトコルに従って通信ネットワーク上で１つ以上の他のノードと通信するために使用される受信機及び送信機インタフェースを含んでよい。通信回路１２は、通信ネットワークのリンクにとって適切な送信機及び受信機の機能性（例えば、光学的機能、及び電気的機能など）を実装する。送信機及び受信機の機能は、回路コンポーネント及び／又はソフトウェアを共用してもよく、又はその代わりに別個に実装されてもよい。
【０１１１】
図５は、一実施形態に係る基地局１０のコンポーネントを、複数の機能モジュールの観点で概略的に示している。基地局１０は、ステップＳ１０４を実行するように構成される構成モジュール１０ａ、及びステップＳ１０６を実行するように構成される選択モジュール１０ｂという、複数の機能モジュールを備える。基地局１０は、ステップＳ１０２を実行するように構成される取得モジュール１０ｃ、ステップＳ１０８を実行するように構成される選択モジュール１０ｄ、ステップＳ１１０を実行するように構成される選択モジュール１０ｅ、及び、ステップＳ１１２を実行するように構成される構成モジュール１０ｆのうちのいずれかなど、複数のオプション的な機能モジュールをさらに備えてもよい。総じて言うと、各機能モジュール１０ａ〜１０ｆは、ハードウェアで実装されてもよく又はソフトウェアで実装されてもよい。好適には、１つ以上の又は全ての機能モジュール１０ａ〜１０ｆは、恐らくは機能ユニット１２、１６、１８及びソフトウェア２２と協調するプロセッサ１４によって実装され得る。プロセッサ１４は、よって、機能モジュール１０ａ〜１０ｆにより提供されるような命令をメモリ１６から読み出してそれら命令を実行するように構成されてもよく、それによりここで開示したような基地局１０の任意のステップを実行する。
【０１１２】
基地局１０の機能性は、スタンドアローンデバイスで、又は少なくとも１つのさらなるデバイスの一部として実装されることができる。例えば、基地局１０の機能性は、無線アクセスネットワークの特殊目的のノードにおいて、又は無線アクセスネットワークの既存のノードにおいて実装されることができる。代替的に、基地局１０の機能性が少なくとも２つのデバイス又はノードの間で分散されてもよい。
【０１１３】
よって、基地局１０により実行される命令の第１の部分が第１のデバイスにおいて実行され、基地局１０により実行される命令の第２の部分が第２のデバイスにおいて実行されてもよく、ここで開示した実施形態は基地局１０により実行される命令が稼動し得るデバイスのいかなる具体的な数にも限定されない。よって、ここで開示した実施形態に係る方法は、クラウドコンピュータ環境内に所在する基地局１０により実行されることに適している。従って、図３には単一のプロセッサ１４が示されているものの、プロセッサ１４は、複数のデバイス又はノードの間で分散されてもよい。同じことが、図５の機能モジュール１０ａ〜１０ｆ及びソフトウェア２２に当てはまる。
【０１１４】
図６は、一実施形態に係るＵＥ３０のコンポーネントを、複数の機能モジュールの観点で概略的に示している。ＵＥ３０は、ステップＳ２０２を実行するように構成される受信モジュール３０ａ、及びステップＳ２０８を実行するように構成される復号モジュール３０ｂという、複数の機能モジュールを備える。ＵＥ３０は、ステップＳ２０４を実行するように構成される受信モジュール３０ｃ、ステップＳ２０６を実行するように構成される受信モジュール３０ｄ、ステップＳ２１０を実行するように構成される復号モジュール３０ｅ、及び、ステップＳ２１０を実行するように構成される復号モジュール３０ｆのうちのいずれかなど、複数のオプション的な機能モジュールをさらに備えてもよい。総じて言うと、各機能モジュール３０ａ〜３０ｆは、ハードウェアで実装されてもよく又はソフトウェアで実装されてもよい。好適には、１つ以上の又は全ての機能モジュール３０ａ〜３０ｆは、恐らくは機能ユニット３２、３６、３８及びソフトウェア４２と協調するプロセッサ３４によって実装され得る。プロセッサ３４は、よって、機能モジュール３０ａ〜３０ｆにより提供されるような命令をメモリ３１６から読み出してそれら命令を実行するように構成されてもよく、それによりここで開示したようなＵＥ３０の任意のステップを実行する。
【０１１５】
いくつかの観点によれば、ＵＥ３０を構成するためのシステムが提供される。そのシステムは、ここで開示した通りに構成されるための（即ち、構成を取得するための）ＵＥ３０と、ここで開示した通りにＵＥ３０を構成するための基地局１０とを含む。
【０１１６】
＜結論＞
有利なこととして、上記方法、上記基地局、上記ＵＥ、上記システム及び上記コンピュータプログラムは、ＵＥの効率的な構成を提供する。
【０１１７】
本発明概念の実施形態は、従来技術に対して多数の利点を呈示する。上記方法は、狭帯域ＭＴＣ  ＵＥがより広いシステム帯域幅を伴うレガシーＬＴＥシステムにおいて動作すること及び初期化段階でＬＣ−ＰＤＣＣＨの構成を取得できるようになることを可能にする。
【０１１８】
本発明概念は、当然ながら、本発明概念の本質的な特徴から逸脱することなく、ここで具体的に説示されたもの以外の手法で遂行されてもよい。本実施形態は、あらゆる観点において、説明的であって限定的ではないものと見なされるべきである。
【０１１９】
＜略語＞          ＜説明＞
３ＧＰＰ          3rd  Generation  Partnership  Project
ＡＬ              Aggregation  Level
ＡＳＩＣ          Application-specific  integrated  circuit
ＡＴＭ            Asynchronous  Transfer  Mode
ＣＤＭＡ          Code  division  multiple  access
ＤＣＩ            Downlink  control  information
ＤＦＴ            Discrete  Fourier  Transform
ｅＭＴＣ          Enhanced  MTC
ｅＮＢ            Evolved  Node-B
ＥＣＣＥ          Enhanced  Control  Channel  Element
ＥＰＤＣＣＨ      Enhanced  PDCCH
ＦＰＧＡ          Field-programmable  gate  array
ＧＳＭ            Global  System  for  Mobile  Communications
ＩｏＴ            Internet  of  Things
ＬＣ−ＰＤＣＣＨ  Low  complexity  PDCCH
ＬＴＥ            Long  term  evolution
ＭＰＤＣＣＨ      MTC  PDCCH
ＭＴＣ            Machine-Type  Communications
Ｍ２Ｍ            Machine  to  Machine
ＮＢ−ＩｏＴ      Narrowband  IoT
ＯＦＤＭ          Orthogonal  frequency-division  multiplexing
ＮＰＤＣＣＨ      NB-IoT  PDCCH
ＰＤＣＣＨ        Physical  downlink  control  channel
ＰＲＢ            Physical  Resource  Block
ＲＦ              Radio  Frequency
ＲＲＣ            Radio  resource  control
ＳＣ−ＦＤＭＡ    Single  carrier  frequency  division  multiple  access
ＳＯＮＥＴ        Synchronous  Optical  Networking
ＴＣＰ／ＩＰ      Transmission  Control  Protocol  /  Internet  Protocol
ＵＥ              User  Equipment
ＵＬ              Uplink
ＵＴＲＡＮ        Universal  Terrestrial  Radio  Access  Network
ＷＣＤＭＡ        Wideband  CDMA
【０１２０】
＜文献＞
［１］３ＧＰＰ  ＴＳ３６．２１１  Ｖ１２．４．０，“3rd  Generation  Partnership  Project;  Technical  Specification  Group  Radio  Access  Network;  Evolved  Universal  Terrestrial  Radio  Access  (E-UTRA);  Physical  channels  and  modulation  (Release  12)”
［２］３ＧＰＰ  ＴＳ３６．２１３  Ｖ１２．４．０，“3rd  Generation  Partnership  Project;  Technical  Specification  Group  Radio  Access  Network;  Evolved  Universal  Terrestrial  Radio  Access  (E-UTRA);  Physical  layer  procedures  (Release  12)”
［３］３ＧＰＰ  ＴＳ３６．３３１  Ｖ１２．４．１，“3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  specification  (Release  12)”
［４］３ＧＰＰ  ＴＲ３６．８８８  ｖ１２．０．０，“Study  on  provision  of  low-cost  Machine-Type  Communications  (MTC)  User  Equipments  (UEs)  based  on  LTE  (Release  12)”
［５］３ＧＰＰ  Ｔｄｏｃ  ＲＰ−１４１６６０，“Work  Item  Description:  Further  LTE  Physical  Layer  Enhancements  for  MTC”，Ericsson,  Nokia  Networks
【０１２１】
＜追加背景資料＞
３ＧＰＰ  ＴＳＧ  ＲＡＮ  ＷＧ１  Ｍｅｅｔｉｎｇ  ＃８０，Athens，“Discussions  on  downlink  control  channel  for  Rel-113  MTC  UE”
Ｒ１−１４１７３０，“Final  Report  of  3GPP  TSG  RAN  WGI#76  v1.0.0”，MCC
Ｒ１−１４０２４０，“Analysis  on  (E)DPCCH  search  space  design  in  coverage  enhancement  mode”，MediaTek,  Inc.
【図１】
0006657252.tif 000008
【図２】
0006657252.tif 000009
【図３】
0006657252.tif 000010
【図４】
0006657252.tif 000011
【図５】
0006657252.tif 000012
【図６】
0006657252.tif 000013
【図７】
0006657252.tif 000014
【図８】
0006657252.tif 000015
【図９】
0006657252.tif 000016
【図１０】
0006657252.tif 000017